(57)【要約】      （修正有）【課題】外出時にも使用可能で且つ簡便に顔面の額周辺のしわを伸ばすことが可能な頭部装着具を提供する。【解決手段】頭部装着具１は、弾性変形により伸縮し、幅３〜５ｃｍの環状帯部３と、環状帯部３の外側表面５に縫着されている毛７と、を備える。【選択図】図１
0003186687.tif 000002
【実用新案登録請求の範囲】
【請求項１】
弾性変形により伸縮し、幅３〜５ｃｍの環状帯部と、
前記環状帯部の外側表面に縫着されている毛と、を備える頭部装着具。
【請求項２】
前記環状帯部は、環状の弾性体と、前記弾性体の表面を被覆して伸縮可能な材質からなるシート状の被覆部とを有し、
前記毛が被覆部に縫着されている請求項１に記載の頭部装着具。
【請求項３】
前記環状帯部は、網目状で伸縮可能な網目状シートを幅３〜５ｃｍとなるように巻き込んでなる請求項１に記載の頭部装着具。
【請求項４】
前記環状帯部は、環状の基材と弾性体とを有し、
前記弾性体は、前記基材の一の面に前記基材の周方向に沿って伸張状態で配設されている請求項１に記載の頭部装着具。
【考案の詳細な説明】
【技術分野】
【０００１】
本考案は、頭部装着具に関する。
【背景技術】
【０００２】
加齢に伴って顔の皮膚がたるみ、顔面にしわが生じてくる。こうした顔面のしわを伸ばすことを目的として、しわ伸ばしネットが考案されている（特許文献１）。このしわ伸ばしネットは、伸縮性のある筒状ネットから構成されている。しわ伸ばしネットを帽子のように頭部に被ると、顔の皮膚が頭頂部に向けて引き上げられ、その結果、顔面のしわを伸ばすことが可能になる。
【先行技術文献】
【特許文献】
【０００３】
【特許文献１】実用新案登録第３１７２８９１号
【考案の概要】
【考案が解決しようとする課題】
【０００４】
ところが、上述のしわ伸ばしネットでは、使用時に頭頂部から額までを覆うことになるので、家族以外の他人に接することなく家の中でくつろぐ時間帯（例えば、就寝時）に使用しなければならなくなる。
【０００５】
上記の問題に鑑みて、本考案の目的は、外出時にも使用可能で且つ簡便に顔面のしわを伸ばすことが可能な技術を提供することにある。
【課題を解決するための手段】
【０００６】
本考案は、以下に示す頭部装着具である。
【０００７】
［１］  弾性変形により伸縮し、幅３〜５ｃｍの環状帯部と、前記環状帯部の外側表面に縫着されている毛と、を備える頭部装着具。
【０００８】
［２］  前記環状帯部は、環状の弾性体と、前記弾性体の表面を被覆して伸縮可能な材質からなるシート状の被覆部とを有し、前記毛が被覆部に縫着されている前記［１］に記載の頭部装着具。
【０００９】
［３］  前記環状帯部は、伸縮可能な網目状のシートを幅３〜５ｃｍとなるように巻き込んでなる前記［１］に記載の頭部装着具。
【００１０】
［４］  前記環状帯部は、環状の基材と弾性体とを有し、前記弾性体は、前記基材の一の面に前記基材の周方向に沿って伸張状態で配設されている前記［１］に記載の頭部装着具。
【考案の効果】
【００１１】
本考案の頭部装着具によれば、環状帯部の外側表面に毛が縫着されているので、使用時に頭部の外観を自然な形にすることが可能である。さらに、本考案の頭部装着具によれば、帯状部材の幅が３〜５ｃｍであるので、頭部装着具が頭部から外れにくく、顔のしわ伸ばしのために有効に機能することが可能である。
【図面の簡単な説明】
【００１２】
【図１】本考案の一実施形態の頭部装着具を模式的に示す斜視図である。
【図２】図１中のＡ−Ａ’断面の模式図である。
【図３】図１に示されている頭部装着具の一使用例を示す模式図である。
【図４】本考案の他の実施形態の頭部装着具の断面を示す模式図である。
【図５】図４に示されている頭部装着部を環状帯部の巻き込みを解いた状態で表した模式図である。
【図６】本考案のさらに他の実施形態の頭部装着具を構成する環状帯部の模式的な斜視図である。
【考案を実施するための形態】
【００１３】
以下、図面を参照しつつ本考案の実施の形態について説明する。本考案は、以下の実施形態に限定されるものではなく、本考案の範囲を逸脱しない限りにおいて、変更、修正、改良を加え得るものである。
【００１４】
図１は、本考案の一実施形態の頭部装着具１を模式的に示す斜視図である。図２は、図１中のＡ−Ａ’断面の模式図である。図１および図２に示されているように、本考案の一実施形態の頭部装着具１は、環状帯部３と、毛７とを備える。環状帯部３は、幅Ｗが３〜５ｃｍであり、弾性変形により伸縮するものである。また、毛７は、環状帯部３の外側表面５に縫着されている。
【００１５】
図３は、図１に示されている頭部装着具１の一使用例を示す模式図である。図示されているように、頭部装着具１は、環状帯部３の環の中に使用者の頭部を入れて、環状帯部３によって頭部を締め付けるようにして使用する。非装着時の環状帯部３の周長は、使用者の頭部の外周長よりも小さいことが望ましい。環状帯部３が頭部を締め付けている時、環状帯部３が頭頂部の方向に向けて、すなわち、頭部の外周長がより小さい部分に向けてせり上がろうとする。このような環状帯部３の動きに伴って、環状帯部３周辺の皮膚を頭頂部の方向に持ち上げて皮膚にテンションを与え、その結果、顔面のしわを伸ばすことが可能になる。
【００１６】
環状帯部３のように幅Ｗが３〜５ｃｍである場合には、装着時に環状帯部３が頭部から外れににくく、かつ、環状帯部３により皮膚を持ち上げる効果が有効に生じるようになる。より詳しく述べると、環状帯部３の幅Ｗが３ｃｍ以上である場合には、環状帯部３によって皮膚を持ち上げる効果が有効に生じる。また、環状帯部３の幅Ｗが５ｃｍ以下である場合には、環状帯部３が頭頂部に向けて移動し、頭部から抜けてしまう不具合が生じにくくなる。
【００１７】
本明細書にいう「環状帯部３の幅Ｗ」とは、環状帯部３の環の貫通する方向に沿って計測される、環状帯部３の幅のことを意味する。また、「環状帯部３の幅Ｗ」とは、頭部装着具１を装着した頭部を側方から観た場合における環状帯部３の帯の幅ともいうことができる（図３を参照）。
【００１８】
頭部装着具１では、図１および図３に示されているように、毛７が環状帯部３の外側表面５を覆い隠すように設けられていることが好ましい。このように毛７が環状帯部３の外側表面５を覆い隠す場合には、使用時に頭部装着具１が目立たなくなり、外出時の使用に適する。例えば、毛７の色や毛質を使用者の毛髪の色や毛質（毛髪の太さや癖など）と合わせるようにすると、頭部装着具１を装着していることを感じさせにくくなるので良い。
【００１９】
本明細書にいう「環状帯部３の外側表面５」とは、頭部装着具１を装着した時に外側側方に向けて面する環状帯部３の表面のことを意味する。
【００２０】
環状帯部３は、図２に示されているように、環状の弾性体１１と、弾性体１１の表面を被覆して伸縮可能な材質からなるシート状の被覆部１３とを有するものであってもよい。また、毛７は、被覆部１３のみに縫着され、弾性体１１には縫着されていないことが好ましい。毛７が被覆部１３のみに縫着されている場合、弾性体１１が弾性変形により伸縮し易くなるので、環状帯部３によって皮膚を持ち上げる効果が発現されて易くなる。
【００２１】
図４は、本考案の他の実施形態の頭部装着具２０の断面を示す模式図である。図５は、図４に示されている頭部装着具２０を環状帯部２１の巻き込みを解いた状態で表した模式図である。図４および図５に示されている環状帯部２１のように、網目状で伸縮可能な網目状シート２５を幅３〜５ｃｍとなるように巻き込んでなるものであってもよい。網目状シート２５は、筒形状のものであるとよい。環状帯部２１は、筒形状の網目状シート２５を第１端縁２７から第２端縁２９に向けて巻き込んでいき、幅３〜５ｃｍとなるようにされているものである。
【００２２】
網目状シート２５の第１端縁２７とは、筒形状の網目状シート２５が貫通する方向における、網目状シート２５の一方の端縁のことを意味する。網目状シート２５の第２端縁２９とは、第１端縁２７とは反対側にある網目状シート２５の端縁のことを意味する。
【００２３】
網目状シート２５では、第２端縁２９から幅３〜５ｃｍの部分に毛が設けられているとよい。第２端縁２９から幅３〜５ｃｍの部分に毛が設けられていれば、網目状シートの幅が３〜５ｃｍに巻き込まれてなる環状帯部２１の外側表面を、毛７によって覆われている状態にすることが可能になる。
【００２４】
図６は、本考案のさらに他の実施形態の頭部装着具を構成する環状帯部３５の模式的な斜視図である。図６に示されている環状帯部３５のように、環状の基材３１と弾性体３３とを有するものであってもよい。この環状帯部３５では、弾性体３３は、基材３１の一の面に基材３１の周方向に沿って伸張状態で配設されている。上述のように弾性体３３が伸張状態で配設されていると、弾性体３３を配設されている基材３１の一部分が平常時（非装着時）に収縮状態となる。そのため、弾性体３３およびその周囲の基材３１の一部分を伸張させて環状帯部３５を頭部に装着することが可能になる。さらに、前記伸張状態から復元しようとする収縮力が環状帯部３５に働くため、環状帯部３５によって頭部を締め付けることが可能になる。
【産業上の利用可能性】
【００２５】
本考案は、頭部装着具として利用できる。
【符号の説明】
【００２６】
１：頭部装着具、３：環状帯部、５：（環状帯部の）外側表面、７：毛、１１：弾性体、１３：被覆部、２０：頭部装着具、２１：環状帯部、２５：網目状シート、２７：第１端縁、２９：第２端縁、３１：基材、３３：弾性体、３５：環状帯部、Ｗ：（環状帯部の）幅。
【図１】
0003186687.tif 000003
【図２】
0003186687.tif 000004
【図３】
0003186687.tif 000005
【図４】
0003186687.tif 000006
【図５】
0003186687.tif 000007
【図６】
0003186687.tif 000008